(57)【要約】【課題】この発明は、盛土を強固に拘束することができ、堅固な補強土壁を構築することができ、また、壁面材に作用する土圧を軽減することができ、壁面材の変位を抑制して擁壁の安定性を向上することを目的とする。【解決手段】この発明は、擁壁を形成する壁面材の背面に抗張部材の一端側を連結し、この抗張部材の他端側を前記壁面材から離間する方向に展張し、前記抗張部材には前記壁面材に近接する一端側近傍に前側アンカープレートを連結するとともに前記壁面材から離間する他端側に後側アンカープレートを連結し、前記壁面材の背面側に盛土を投入転圧して前記抗張部材と前記前側アンカープレート及び後側アンカープレートとを埋設することで補強土壁を構築することを特徴とする。【選択図】図１
2008308844.tif 000002
【特許請求の範囲】
【請求項１】
擁壁を形成する壁面材の背面に抗張部材の一端側を連結し、この抗張部材の他端側を前記壁面材から離間する方向に展張し、前記抗張部材には前記壁面材に近接する一端側近傍に前側アンカープレートを連結するとともに前記壁面材から離間する他端側に後側アンカープレートを連結し、前記壁面材の背面側に盛土を投入転圧して前記抗張部材と前記前側アンカープレート及び後側アンカープレートとを埋設することで補強土壁を構築することを特徴とする補強土壁構造。
【請求項２】
前記抗張部材には、前記壁面材に近接する一端側近傍に複数枚の前記前側アンカープレートを連結するとともに前記壁面材から離間する他端側に複数枚の前記後側アンカープレートを連結したことを特徴とする請求項１に記載の補強土壁構造。
【請求項３】
前記抗張部材には、前記壁面材に近接する一端側近傍に面積の異なる複数枚の前記前側アンカープレートを連結するとともに前記壁面材から離間する他端側に面積の異なる複数枚の前記後側アンカープレートを連結したことを特徴とする請求項１に記載の補強土壁構造。
【請求項４】
前記抗張部材には、前記壁面材に近接する一端側近傍に前記前側アンカープレートを前記抗張部材の展張した方向に対して傾斜させて連結するとともに前記壁面材から離間する他端側に前記後側アンカープレートを前記抗張部材の展張した方向に対して傾斜させて連結したことを特徴とする請求項１〜請求項３のいずれか一項に記載の補強土壁構造。
【発明の詳細な説明】
【技術分野】
【０００１】
この発明は補強土壁構造に係り、特に、堅固な補強土壁の構築を可能とし、また、擁壁の安定性を向上した補強土壁構造に関する。
【背景技術】
【０００２】
盛土を使用した壁面材による補強土壁構造には、擁壁を形成する壁面材として枠材や土嚢を使用し、この壁面材を水平方向及び上下方向に複数並べて設置し、各壁面材の背面に抗張部材の一端側を連結し、この抗張部材の他端側を壁面材から離間する方向に展張してアンカープレートを連結し、壁面材の背面側に盛土を投入転圧して抗張部材とアンカープレートとを埋設することで補強土壁を構築するものがある。
【特許文献１】特開２００１−５５７４６号公報
【発明の開示】
【発明が解決しようとする課題】
【０００３】
ところで、従来の補強土壁構造においては、各壁面材から離間する方向に展張した抗張部材の他端側にアンカープレートが上下に並んで配設され、この上下に並ぶアンカープレートの部位に擬似的な補強土壁部分が発現し、この擬似的な補強土壁部分と擁壁を形成する壁面材との間に盛土を拘束している。
【０００４】
ところが、この補強土壁構造においては、盛土に埋設された抗張部材の他端側のアンカープレートの部位にだけしか擬似的な補強土壁部分を発現することができないため、盛土を十分に拘束できず、堅固な補強土壁を構築することが困難な問題がある。
【０００５】
また、従来の補強土壁構造においては、投入された盛土の土圧を壁面材の背面で支持していることから、壁面材とアンカープレートとの間の盛土の土圧が壁面材の背面に直接的に作用することになり、壁面材が変位して擁壁の安定性が低下するという問題があった。
【０００６】
そこで、この発明は、盛土を強固に拘束して堅固な補強土壁の構築を可能とし、また、壁面材の背面に作用する土圧を軽減し、壁面材の変位を抑制して擁壁の安定性を向上した補強土壁構造を提供することを目的とする。
【課題を解決するための手段】
【０００７】
この発明は、擁壁を形成する壁面材の背面に抗張部材の一端側を連結し、この抗張部材の他端側を前記壁面材から離間する方向に展張し、前記抗張部材には前記壁面材に近接する一端側近傍に前側アンカープレートを連結するとともに前記壁面材から離間する他端側に後側アンカープレートを連結し、前記壁面材の背面側に盛土を投入転圧して前記抗張部材と前記前側アンカープレート及び後側アンカープレートとを埋設することで補強土壁を構築することを特徴とする。
【発明の効果】
【０００８】
この発明の補強土壁構造は、抗張部材の壁面材に近接する一端側近傍の前側アンカープレートの部位に発現する擬似的な前側補強土壁部分と、抗張部材の壁面材から離間する他端側の後側アンカープレートの部位に発現する擬似的な後側補強土壁部分とによって、盛土を強固に拘束することができ、堅固な補強土壁を構築することができる。
また、この発明の補強土壁構造は、盛土に埋設された抗張部材の壁面材に近接する一端側近傍の前側アンカープレートの部位に発現する擬似的な前側補強土壁部分によって、壁面材に作用する土圧の一部を支持することができ、壁面材に作用する土圧を軽減することができ、壁面材の変位を抑制して擁壁の安定性を向上することができる。
【発明を実施するための最良の形態】
【０００９】
以下、図面に基づいてこの発明の実施例を詳細且つ具体的に説明する。
【実施例】
【００１０】
図１〜図２は、この発明の実施例を示すものである。図２において、２は地盤、４は基礎、６は補強土壁である。補強土壁６は、整地した地盤２に基礎４を設置し、この基礎４上に最下層の壁面材８を水平方向に並べて設置し、この水平方向に載置した壁面材８上に次層の壁部材８を水平方向に並べて設置し、これら各層の壁部材８を上方に順次に重積することでによって、壁面材８を水平方向及び上下方向に複数並べて擁壁１０を形成する。
【００１１】
擁壁１０を形成する各壁面材８の背面には、図１に示すように、取付部材１２を取り付けている。取付部材１２には、取付具１４により抗張部材１６の一端側を取り付けて連結する。抗張部材１６は、他端側を壁面材８から離間する方向に展張している。抗張部材１６には、壁面材８に近接する一端側近傍に前側アンカープレート１８を連結するとともに、壁面材８から離間する他端側に後側アンカープレート２０を連結している。
【００１２】
抗張部材１６を連結した壁面材８の背面側には、盛土２２を投入転圧して抗張部材１６と前側アンカープレート１８及び後側アンカープレート２０とを埋設することで、補強土壁６を構築する。
【００１３】
次に、この実施例の作用を説明する。
補強土壁６の構築に際しては、図２に示すように、先ず、水平に整地した地盤２に基礎４を設置し、この基礎４上に最下層の壁面材８を設置する。壁面材８は、背面側に傾斜させた状態で、水平方向に複数個並べて設置する。設置された各壁面材８には、背面の取付部材１２に取付具１４により前側アンカープレート１８及び後側アンカープレート２０が連結された抗張部材１６の一端側を連結し、抗張部材１６の他端側を壁面材８から離間する方向で水平に展張する。
【００１４】
抗張部材１６に連結された前側アンカープレート１８及び後側アンカープレート２０は、抗張部材１６を水平に展張したことで、水平な抗張部材１６に対して垂直に連結している。抗張部材１６を連結した壁面材８は、背面側に盛土２２を投入転圧して抗張部材１６と前側アンカープレート１８及び後側アンカープレート２０とを埋設することで、第１の土壌層Ｌ１を形成する。
【００１５】
次に、同様な手順に従って、最下層の壁面材８の上方に次層の壁面材８を背面側に傾斜させた状態で水平方向に複数個並べて設置し、各壁面材８の背面の取付部材１２に取付具１４により前側アンカープレート１８及び後側アンカープレート２０が連結された抗張部材１６の一端側を連結し、抗張部材１６の他端側を壁面材８から離間する方向に水平に展張し、壁面材８の背面側に盛土２２を投入転圧して抗張部材１６と前側アンカープレート１８及び後側アンカープレート２０とを埋設することで、第１の土壌層Ｌ１上に第２の土壌層Ｌ２を形成する。
【００１６】
このように、地盤２上には、壁面材８の設置・抗張部材１６の連結・盛土２２の投入転圧による抗張部材１６と前側アンカープレート１８及び後側アンカープレート２０との埋設を最下層から最上層に向かって順次に実施し、第１の土壌層Ｌ１〜第５の土壌層Ｌ５を形成することで、傾斜する擁壁１０を備えた補強土壁６を構築する。
【００１７】
構築された補強土壁６中には、第１の土壌層Ｌ１〜第５の土壌層Ｌ５の各壁面材８に近接して上下に並ぶ前側アンカープレート１８の部位に、傾斜する壁面１０と平行な上下方向に連続する前側補強土壁部分６Ｆが発現し、第１の土壌層Ｌ１〜第５の土壌層Ｌ５の各壁面材８から離間して上下に並ぶ各後側アンカープレート２０の部位に、傾斜する壁面１０と平行な上下方向に連続する後側補強土壁部分６Ｒが発現する。
【００１８】
これにより、この補強土壁構造は、抗張部材１６の壁面材８に近接する一端側近傍の前側アンカープレート１８の部位に発現する前側補強土壁部分６Ｆと、抗張部材１６の壁面材８から離間する他端側の後側アンカープレート２０の部位に発現する後側補強土壁部分６Ｒとによって、盛土１２を強固に拘束することができ、堅固な補強土壁６を構築することができる。
【００１９】
また、この補強土壁構造は、抗張部材１６の壁面材８に近接する一端側近傍の前側アンカープレート１８の部位に発現する前側補強土壁部分６Ｆによって、壁面材８に作用する土圧の一部を支持することができ、壁面材８に作用する土圧を軽減することができ、壁面材８の変位を抑制して擁壁１０の安定性を向上することができる。
【００２０】
なお、この実施例では、擁壁１０を水平な地盤２に対して傾斜させて形成したが、擁壁１０を水平な地盤２に対して垂直に形成した補強土壁構造にも適用することができる。
【００２１】
また、この発明は、上述実施例に限定されることなく、種々応用改変が可能である。
図３は、補強土壁構造の第１の変形例を示すものである。この補強土壁構造の抗張部材１６には、壁面材８に近接する一端側近傍に複数枚の、図３においては２枚の前側アンカープレート１８−１・１８−２を連結するとともに、壁面材８から離間する他端側に複数枚の、図３においては２枚の後側アンカープレート２０−１・２０−２を連結したものである。
【００２２】
この補強土壁構造は、抗張部材１６に夫々２枚の前側アンカープレート１８−１・１８−２及び後側アンカープレート２０−１・２０−２を連結したことで、前側アンカープレート１８−１・１８−２の部位に発現する前側補強土壁部分６Ｆと後側アンカープレート２０−１・２０−２の部位に発現する後側補強土壁部分６Ｒとの規模を大きくすることができ、盛土１２の拘束効果を高めて堅固な補強土壁６を構築することができる。
【００２３】
また、この補強土壁構造は、前側補強土壁部分６Ｆの発現規模を大きくすることができるので、壁面材８に作用する土圧の支持効果を高めて、壁面材８に作用する土圧をより軽減することができ、壁面材８の変位を抑制して擁壁１０のさらに安定性を向上することができる。
【００２４】
図４は、補強土壁構造の第２の変形例を示すものである。この補強土壁構造の抗張部材１６には、壁面材８に近接する一端側近傍に面積の異なる複数枚の、図４においては標準面積の前側アンカープレート１８−１と標準面積よりも大きい拡大面積の前側アンカープレート１８−２との２枚を連結するとともに、壁面材８から離間する他端側に面積の異なる複数枚の、図４においては標準面積の後側アンカープレート２０−１と標準面積よりも大きい拡大面積の後側アンカープレート２０−２との２枚を連結したものである。
【００２５】
この補強土壁構造は、抗張部材１６に夫々面積の異なる２枚の前側アンカープレート１８−１・１８−２及び後側アンカープレート２０−１・２０−２を連結したことで、前側アンカープレート１８−１・１８−２の部位に発現する前側補強土壁部分６Ｆと後側アンカープレート２０−１・２０−２の部位に発現する後側補強土壁部分６Ｒとをより効率的に発現させることができ、盛土１２の拘束効果を高めて堅固な補強土壁６を構築することができる。
【００２６】
また、この補強土壁構造は、前側補強土壁部分６Ｆをより効率的に発現させることができるので、壁面材８に作用する土圧の支持効果を高めて、壁面材８に作用する土圧をより軽減することができ、壁面材８の変位を抑制して擁壁１０のさらに安定性を向上することができる。
【００２７】
図５は、補強土壁構造の第３の変形例を示すものである。この補強土壁構造の抗張部材１６には、壁面材８に近接する一端側近傍に前側アンカープレート１８を水平に展張した抗張部材１６の展張した方向に対して傾斜させて連結するとともに、壁面材８から離間する他端側に後側アンカープレート２０を水平に展張した抗張部材１６の展張した方向に対して傾斜させて連結したものである。
【００２８】
この補強土壁構造は、傾斜する擁壁１０の壁面材８に水平に展張した抗張部材１６に前側アンカープレート１８及び後側アンカープレート２０を傾斜させて連結したことで、傾斜する擁壁１０の壁面材８と平行するように前側アンカープレート１８及び後側アンカープレート２０が配置され、傾斜する擁壁１０の壁面材８に対して前側アンカープレート１８の部位に発現する前側補強土壁部分６Ｆと後側アンカープレート２０の部位に発現する後側補強土壁部分６Ｒとをより効率的に発現させることができ、盛土１２の拘束効果を高めて堅固な補強土壁６を構築することができる。
【００２９】
また、この補強土壁構造は、前側補強土壁部分６Ｆをより効率的に発現させることができるので、壁面材８に作用する土圧の支持効果を高めて、壁面材８に作用する土圧をより軽減することができ、壁面材８の変位を抑制して擁壁１０のさらに安定性を向上することができる。
【産業上の利用可能性】
【００３０】
この補強土壁構造は、抗張部材の壁面材に近接する一端側近傍に前側アンカープレートを連結するとともに抗張部材の壁面材から離間する他端側に後側アンカープレートを連結することで、盛土を強固に拘束し、壁面材に作用する土圧を軽減することができるものであり、他の地盤を補強する構造にも応用することができる。
【図面の簡単な説明】
【００３１】
【図１】実施例を示す壁面材に抗張部材を取り付けた状態の側面図である。
【図２】実施例を示す補強土壁構造の断面図である。
【図３】第１の変形例を示す壁面材に抗張部材を取り付けた状態の側面図である。
【図４】第２の変形例を示す壁面材に抗張部材を取り付けた状態の側面図である。
【図５】第３の変形例を示す壁面材に抗張部材を取り付けた状態の側面図である。
【符号の説明】
【００３２】
２  地盤
４  基礎
６  補強土壁構造
８  壁面材
１０  擁壁
１２  取付部材
１４  取付具
１６  抗張部材
１８  前側アンカープレート
２０  後側アンカープレート
２２  盛土
【図１】
2008308844.tif 000003
【図２】
2008308844.tif 000004
【図３】
2008308844.tif 000005
【図４】
2008308844.tif 000006
【図５】
2008308844.tif 000007
【手続補正書】
【提出日】平成19年6月15日(2007.6.15)
【手続補正１】
【補正対象書類名】図面
【補正対象項目名】全図
【補正方法】変更
【補正の内容】
【図１】
2008308844.tif 000008
【図２】
2008308844.tif 000009
【図３】
2008308844.tif 000010
【図４】
2008308844.tif 000011
【図５】
2008308844.tif 000012